(57)【要約】【目的】通話者間の会話を盛り上げること、又は一方の通話者が他方の通話者から嫌がられるのを防ぐことを目的とする。【構成】少なくとも、加入電話、携帯電話などの通話機能を有する機器に於いて、あらかじめ用意された複数の音声信号を保持する音声バンク装置と、音声バンク装置が保持する複数の音声信号のうちの１つを選択するための選択信号を生成する手動選択信号生成装置と、手動選択信号生成装置が出力する選択信号により音声信号を選択する音声信号選択装置と、選択された音声信号を再生出力するための音声信号再生装置と、音声信号再生装置の出力する音声信号を、通話機器で通話中の音声信号に多重化する音声多重装置を具備することにより、音声バンク装置が保持する音声信号を双方の通話者に聞こえる様に出力する。【選択図】図１
2004064281.tif 000002
【特許請求の範囲】
【請求項１】
音声支援装置であって、該装置は、
音声信号を保持する音声バンク装置（１１）と、
音声バンク装置（１１）が保持する音声信号を再生出力する音声信号再生装置（１４）と、
音声信号再生装置（１４）が再生出力する音声信号と、自局側のユーザが発する音声に対応する送話音声（１７１）とを多重化する第１の音声多重装置（１５）と、
音声信号再生装置（１４）が再生出力する音声信号と、相手局側のユーザが発する音声に対応する送話音声（１８１）とを多重化する第２の音声多重装置（１５’）と
を具備する音声支援装置。
【請求項２】
音声支援装置であって、該装置は、
複数の音声信号を保持する音声バンク装置（１１）と、
音声バンク装置（１１）が保持する複数の音声信号のうち何れか１つを選択可能とする選択信号を生成する選択信号生成装置（１２，１６）と、
選択信号生成装置（１２，１６）が生成する選択信号に基づき、音声バンク装置（１１）が保持する複数の音声信号のうち何れか１つを選択して出力する音声信号選択装置（１３）と、
音声信号選択装置（１３）が出力する音声信号を再生出力する音声信号再生装置（１４）と、
音声信号再生装置（１４）が再生出力する音声信号と、自局側のユーザが発する音声に対応する送話音声（１７１）とを多重化する第１の音声多重装置（１５）と、
音声信号再生装置（１４）が再生出力する音声信号と、相手局側のユーザが発する音声に対応する送話音声（１８１）とを多重化する第２の音声多重装置（１５’）と
を具備する音声支援装置。
【請求項３】
請求項１又は請求項２に記載の音声多重装置において、該装置は、自局側の通話機器と相手局側の通話機器とが通話状態では無い場合であっても、第２の音声多重装置（１５’）が、音声信号再生装置（１４）が再生出力する音声信号を自局側の通話装置（１７）に入力する、音声多重装置。
【請求項４】
請求項２又は請求項２に従属する請求項３に記載の音声支援装置であって、
選択信号生成装置（１２，１６）が、自局側のユーザが発する音声に対応する送話音声（１７１）及び／又は相手局側のユーザが発する音声に対応する送話音声（１８１）の音量変化を検出し、該変化に応じて、選択信号を自動的に生成する自動選択信号生成装置（１６）である、音声支援装置。
【請求項５】
請求項１〜請求項４の何れか１に記載の音声支援装置であって、
音声バンク装置（１１）が、複数の音声バンク装置（１１）からなり、
該音声支援装置はさらに、複数の音声バンク装置（１１）のうち何れか１つの音声バンク装置（１１）を選択可能とする音声バンク選択装置を具備する音声支援装置。
【請求項６】
請求項１〜請求項５の何れか１に記載の音声支援装置であって、
該音声支援装置はさらに、所望の音声信号を音声バンク装置（１１）に記憶する音声録音装置を具備する音声支援装置。
【請求項７】
請求項１〜請求項６の何れか１に記載の音声支援装置を具備する通話機器であって、該機器はさらに、
自局側のユーザが発する音声を送話音声（１７１）として入力し、受話音声（１７２）を自局側のユーザに聴覚可能とする通話装置（１７）と、
自局側の送話音声（１７１）を相手局側への受話音声（１８２）として送信し、相手局側からの送話音声（１８１）を自局側の受話音声（１７２）として受信する通話機能装置と
を具備する通話機器。
【発明の詳細な説明】
【０００１】
【発明の属する技術分野】
本発明は、音声多重装置に関するものであり、特に、加入電話、携帯電話などの通話機能を有する通話機器であって、音声多重装置を具備して会話を支援する通話機器に関するものである。
【０００２】
【発明の背景】
従来、加入電話、携帯電話などの通話機能を提供する通話機器は、あくまで通話を行うことを目的とするため、通話機器の音声多重装置は、敢えて、通話の妨害にもなりえる通話者以外からの音声を、通話音声に多重化して出力するようなことは行われていなかった。
【０００３】
【発明が解決しようとする課題】
そのため、例えば、所定の期間、双方の通話者からの通話音声が、通話機器に入力されない場合、通話中に会話が盛り上がらず、会話が長時間途切れる状態となり、通話者は、互いに、気まずい思いをすることや、つまらない思いをするという問題があった。
【０００４】
或いは、一方の通話者が、他方の通話者に対して不満や愚痴をこぼす場合、一方の通話者は、他方の通話者から嫌がられるという問題があった。
本発明は、これらのような実情に鑑みてなされたものであり、本発明の第１の目的は、通話機器の音声多重装置が、あらかじめ固定的に用意された数種類の音声信号を、通話中の音声信号に多重化することにより、双方の通話者に、数種類の音声信号を聞くことを可能とし、会話を盛り上げることにある。
【０００５】
本発明の第２の目的は、通話機器が実際には通話相手と接続されていない場合であっても、通話機器の音声多重装置が、音声信号を出力することにより、一方の通話者に、この音声信号を、他方の通話者の音声の代わりに聞くことを可能とし、擬似的な通話を提供することにある。
【０００６】
本発明の第３の目的は、通話機器の検出装置が、通話音声が一定時間途絶えた事、あるいは、通話音声の音量や音量の変化を検出し、それに応じて、通話機器の音声多重装置が、異なる音声信号を自動的に出力することにある。
【０００７】
本発明の第４の目的は、通話機器の音声バンク装置が、用意する音声信号を固定とせず、録音、保存できるように構成することにより、通話機器の音声多重装置が、ユーザが録音した任意の音声信号を出力できるようにすることにある。
【０００８】
本発明の第５の目的は、通話機器が、複数の音声バンク装置を備えることにより、通話機器の音声選択装置が、異なる応答パターン、あるいは異なる人物像の応答を切り換えて使用できるようにすることにある。
【０００９】
【課題を解決するための手段】
上記目的を達成するために、本願出願の第１の発明は、少なくとも、加入電話、携帯電話などの通話機能を有する通話機器において、あらかじめ固定的に用意された１つまたは数種類の音声信号を保持する音声バンク装置と、音声バンク装置が保持する音声信号のうちの１つを選択するための選択信号を生成する手動選択信号生成装置と、手動選択信号生成装置が出力する選択信号により音声信号を選択する音声信号選択装置と、選択された音声信号を再生出力するための音声信号再生装置と、音声信号再生装置の出力する音声信号を、通話機器で通話中の音声信号に多重し、双方の通話者に聞こえる様に出力する音声多重装置とを具備することを特徴としたものである。
【００１０】
また、上記目的を達成するために、本願出願の第２の発明は、本願出願の第１の発明の構成を有し、通話機器で実際には通話相手と接続されていない場合に、音声多重装置の出力する音声信号が相手話者の代用となり、擬似的な通話を提供することを特徴としたものである。
【００１１】
また、上記目的を達成するために、本願出願の第３の発明は、本願出願の第１の発明又は第２の発明において、手動選択信号生成装置の代わりに、通話音声が一定時間途絶えた事、あるいは、通話音声の音量や音量の変化を検出し、それに応じた異なる音声信号を自動的に出力するように選択信号を生成する自動選択信号生成装置を具備することを特徴としたものである。
【００１２】
また、上記目的を達成するために、本願出願の第４の発明は、本願出願の第１の発明〜第３の発明のうち何れか１の発明において、音声バンク装置に用意する音声信号を固定とせず、録音、保存できるように構成し、ユーザが録音した音声信号を音声バンク装置に保持し、選択、出力できるようにすることを特徴としたものである。
【００１３】
また、上記目的を達成するために、本願出願の第５の発明は、本願出願の第１の発明〜第４の発明のうち何れか１の発明において、音声バンク装置を複数具備し、ユーザがあらかじめ設定することにより、使用する音声バンク装置を切り替えて使用できるようにすることを特徴としたものである。
【００１４】
【作用】
加入電話、携帯電話などの通話機能を有する通話機器は、あらかじめ固定的に用意された１つまたは数種類の音声信号を保持する音声バンク装置と、音声バンク装置が保持する音声信号のうちの何れか１つを選択するための選択信号を生成する手動選択信号生成装置と、手動選択信号生成装置が出力する選択信号により音声信号を選択する音声信号選択装置と、選択された音声信号を再生出力するための音声信号再生装置と、通話中に、適当なタイミングで、あらかじめ用意されている数種類の音声信号のうちの何れか１つの音声信号を選択し、通話機器で通話中の音声信号に多重し、双方の通話者に聞こえる様に出力する音声多重装置とを具備する。
【００１５】
【発明の実施の形態】
図１を用いて本発明に係る通話機器１０の構成の説明をする。この図は本発明に係る通話機器１０の構成を示した概略図の一例である。
【００１６】
自局側の通話機器１０は、音声支援装置１９と通話装置１７と通話機能装置（図示せず）とを具備する。
音声支援装置１９の音声バンク装置１１は、あらかじめ固定的に用意された複数の音声信号を保持する装置であり、具体的には例えば、音声信号１、音声信号２、音声信号３等が記録されたＲＯＭ（Ｒｅａｄ　Ｏｎｌｙ　Ｍｅｍｏｒｙ）である。なお、音声信号１は、アナログ信号であっても、デジタル信号であってもよいが、信号の容量が少なく且つ迅速にアクセスできるデジタル信号の方が好ましく、音声バンク装置１１は、音声信号１等をデジタル符号化して保持している。
【００１７】
手動選択信号生成装置１２は、音声バンク装置１１が保持する音声信号のうち何れか１つを音声信号選択装置１３に選択させるための選択信号を生成する装置であり、具体的には例えば、通話機器１０の端末操作装置たるキーＳＷ１２の押下により、選択された選択信号を音声信号選択装置１３に出力するような装置である。
【００１８】
音声支援装置１９の音声信号選択装置１３は、手動選択信号生成装置１２が出力する選択信号により、音声バンク装置１１が保持する音声信号のうち何れか１つを選択して入力する装置であり、具体的には例えば、音声選択信号からＲＯＭ１１に与えるアドレス信号を生成し、目的の音声信号を取得するように作用するアドレスデコーダ１３などである。
【００１９】
なお、ユーザーがキーＳＷ１２を操作することにより、音声信号選択装置１３は、音声バンク装置１１が保持する音声信号のうち何れか１つを選択して音声信号再生装置１４に出力を行うことになる。
【００２０】
音声支援装置１９の音声信号再生装置１４は、手動選択信号生成装置１２及び音声信号選択装置１３によって選択された音声信号を、第１の音声多重装置１５及び第２の音声多重装置１５’に再生出力するための装置であり、具体的には、デジタル符号化された音声信号１をアナログ信号に復調するためのＤ／Ａ変換器（Ｄｉｇｉｔａｌ→Ａｎａｌｏｇ変換器）１４を含んでいる。
【００２１】
自局側の通話装置１７は、自局側のユーザが発する音声を送話音声１７１として入力し、相手局側（通話相手側）のユーザが発した音声に対応する受話音声１７２を自局側のユーザに聴覚可能とする装置であって、具体的には例えば、電話端末の送受話器１７である。なお、自局側の通話装置１７は、音声支援装置１９と通話機能装置（図示せず）とに接続された装置である。また、音声支援装置１９は、音声バンク装置１１と手動選択信号生成装置１２と音声信号選択装置１３と音声信号再生装置１４と第１の音声多重装置１５と第２の音声多重装置１５’とを具備する装置である。
【００２２】
相手局側の通話装置１８は、相手局側のユーザが発する音声を送話音声１８１として入力し、自局側（通話相手側）のユーザが発した音声に対応する受話音声１８２を相手局側のユーザに聴覚可能とする装置であって、通話機能装置（図示せず）に接続された装置であり、具体的には例えば、電話端末の送受話器１８である。なお、相手局側の通話装置１８は、自局側の通話装置１７と同様に、本発明の音声支援装置１９と同様な装置（図示せず）を具備してもよい。
【００２３】
自局側の通話機器１０と、相手側の通話機器２０との間で、双方のユーザ（話者）が通話を行うとき、例えば、ユーザが、手動選択信号生成装置１２の一部として機能する通話機器１０の端末操作装置たるキーＳＷ１２の押下により選択信号を出力するように構成している場合、自局側の通話装置１７のユーザーが、キーＳＷ１２を「＃　１」のように連続してボタン「＃」「１」を押して操作する。これにより、選択信号が、手動選択信号生成装置１２から音声信号選択装置１３に対して出力され、その選択信号により、音声信号選択装置１３は、音声バンク装置１１に保持されている音声信号のうちの対応する１つの音声信号（例えば、音声信号１）を選択して音声信号再生装置１４に出力する。音声信号再生装置１４は、選択された音声信号（例えば、音声信号１）を音声多重装置１５及び１５’に再生出力する。
【００２４】
一方、自局側の通話装置１７は、自局側のユーザが発する音声を送話音声１７１として入力して音声多重装置１５及び１５’に出力する。
ここで、第１の音声多重装置１５は、音声信号再生装置１４から入力した音声信号と、通話装置１７から入力した送話音声１７１とを多重化して通話機器１０の通話機能装置に出力する。自局側の通話機能装置は、多重された音声を、相手局側の通話機器２０の通話機能装置に送信し、相手局側の通話機能装置は、受信した多重音声を、受話音声１８２として通話装置１８に出力する。
【００２５】
これにより、相手局側のユーザは、自局側のユーザの発した音声とともに、音声信号再生装置１４を経由して再生された音声信号（例えば、音声信号１）を聞くことが可能となる。即ち、相手局側のユーザが、自分（相手局側のユーザ）と相手（自局側のユーザ）との会話の間に第三者として介入する音声支援装置１９（例えば、音声信号１）に対して応答することにより、会話を盛り上げることができる。
【００２６】
また、第２の音声多重装置１５’は、音声信号再生装置１４から入力した音声信号と、通話機器１０の通話機能装置から入力した送話音声１８１とを多重し、自局側への受話音声１７２として通話装置１７に出力する。これにより、自局側のユーザは、相手側のユーザが発した音声とともに、音声信号再生装置１４を経由して再生された音声信号（例えば、音声信号１）を聞くことが可能となる。即ち、自局側のユーザも、自分（自局側のユーザ）と相手（相手局側のユーザ）との会話の間に第三者として介入する音声支援装置１９（例えば、音声信号１）に対して応答することにより、会話を盛り上げることができる。
【００２７】
ところで、実際には通話状態では無い状態、すなわち、自局側のユーザが、相手側のユーザに対して発呼をしないことにより、通話機器１０の通話機能装置が、相手側のユーザが発する音声に対応する送話音声１８１を入力していない状態であるときも、第２の音声多重装置１５’は、音声信号再生装置１４から入力した音声信号を、自局側への受話音声１７２として通話装置１７に出力することもできる。
【００２８】
これにより、自局側のユーザは、相手局側のユーザが不在であっても、音声信号再生装置１４を経由して再生された音声信号（例えば、音声信号１）を聞くことが可能となり、自局側のユーザと音声支援装置１９との会話が行われ、擬似的な通話が提供される。
【００２９】
前述の構成の説明では、手動選択信号生成装置１２として通話端末装置のキーＳＷ１２の押下により選択信号を出力するように構成している場合を示したが、手動選択信号生成装置１２の代わりに、自動選択信号生成装置１６を構成することにより、通話音声の音量変化を検出し、それら変化に応じて異なる音声が選択されるような選択信号を自動的に出力するように構成しても良い。
【００３０】
この自動選択信号生成装置１６は、通話機器１０の通話機能装置に接続され、自局側のユーザが発する音声に対応する送話音声１７１及び／又は相手局側のユーザが発する音声に対応する送話音声１８１の音量変化を検出し、それら変化に応じて、選択信号を自動的に生成する。
【００３１】
具体的に例えば、双方のユーザの通話音声（送話音声１７１及び１８１）が、一定時間途絶えた時には、自動選択信号生成装置１６は、音声信号１を選択する選択信号を音声選択装置１３に自動的に出力し、また、双方のユーザの通話音声の音量がある一定の大きさを越えた時には、音声信号２を選択する選択信号を音声選択装置１３に自動的に出力し、また、その他にも通話音声の音量の変化があった場合等に、それら変化に応じて異なる音声が選択されるような選択信号を音声選択装置１３に自動的に出力する。この結果、通話音声に応じた応答音声（音声信号）が自動的に選択されるようになり、あたかも話にあいづちを打ってくれるように動作する。
【００３２】
また、音声バンク装置１１として、固定の音声信号が記録されたＲＯＭ等の代わりに、読み書き可能なメモリであるＲＡＭ（Ｒａｎｄｏｍ　Ａｃｃｅｓｓ　Ｍｅｍｏｒｙ）１１や、フラッシュメモリ１１などを使用することができる。音声バンク装置１１は、音声録音装置が録音した任意の音声信号を保存できるように構成することにより、通話機器の音声多重装置が、ユーザが録音した任意の音声信号を出力できるようになる。
【００３３】
さらに、音声支援装置１９は、複数の音声バンク装置１１と、何れか１つの音声バンク装置１１を選択する音声バンク選択装置（図示せず）とを具備することができる。音声バンク選択装置が、複数の音声バンク装置１１のうち、何れか１つの音声バンク装置をあらかじめユーザが選択し、設定しておくことにより、選択されたバンク装置を使用しての上記音声支援装置１９の動作が行われる。
【００３４】
例えば、複数の音声バンク装置１１は、固定の音声信号が記録されたＲＯＭ１１（ある１つの音声バンク装置Ａ）と、任意の音声信号が記録されたＲＡＭ１１（ある１つの音声バンク装置Ｂ）とを具備してもよい。
【００３５】
また、例えば、複数の音声バンク装置１１は、音声信号（音声信号Ａ１〜音声信号Ａ８を含む）が記録されたある１つの音声バンク装置Ａと、音声信号（音声信号Ｂ１〜音声信号Ｂ８を含む）が記録されたある１つの音声バンク装置Ｂと、音声信号（音声信号Ｃ１〜音声信号Ｃ８を含む）が記録されたある１つの音声バンク装置Ｃとを具備してもよい。加えて、選択信号装置１２、１９が、ある１つの選択信号、例えば選択信号３が生成し、ａ）音声バンク選択装置が、ある１つの音声バンク装置１１、例えば音声バンク装置Ａを選択する場合、音声支援装置１９は、音声信号Ａ３を出力し、ｂ）音声バンク選択装置が、音声バンク装置Ｂを選択する場合、音声支援装置１９は、音声信号Ｂ３を出力し、ｃ）音声バンク選択装置が、例えば音声バンク装置Ｃを選択する場合、音声支援装置１９は、音声信号Ｃ３を出力する。この結果、本発明の第５の目的を達成することができ、音声バンク装置Ａは若い女性の音声、音声バンク装置Ｃは年輩の男性の音声というように構成した場合、音声バンク装置１１を切り替えることは、応答する人物像を切り替えることに対応する。
【００３６】
本発明に係る通話機器１０の一実施例として、音声支援装置１９が、通話音声（送話音声１７１及び１８１）の音量により自動的に音声出力する自動選択信号生成装置１６を備えた場合を例に取り、その具体的な動作を図２のフローチャートを参照して説明する。
【００３７】
なお、本実施例に係る携帯電話装置１０の自動選択信号生成装置１６はさらに、無音時間検出タイマ手段と信号発生間隔タイマ手段とを備え、これらのタイマ手段に基づいて、選択信号を自動的に生成する。ここで、無音時間検出タイマ手段は、第１の所定の期間、例えば、２秒間、検出した通話音声が無音状態であるか否かを判定する手段である。また、信号発生間隔タイマ手段は、無音時間検出タイマ手段が無音状態であると判定した後、第２の所定の期間、例えば、４秒間、経過しているか否かを判定する手段である。
【００３８】
自動選択信号生成装置１６を備えた本発明に係る携帯電話装置１０の動作は、図２において、まず開始から始まり、ステップ２１で無音時間検出タイマ手段と信号発生間隔タイマ手段との２つのタイマ手段が動作を開始する。その後、ステップ２２で、無音時間検出手段は、通話音声が無音であるか否かの判定を行う。通話音声が無音の場合、携帯電話装置１０の動作は、ステップ２２の判定でＹｅｓのほうに進み、次に、ステップ２３で、無音時間検出タイマ手段は、無音と判定した時から、２秒間（第１の所定の期間）経過しているか否かの判定を行う。無音状態が開始してからまだ２秒経過していない間に、通話音声が無音から有音に変化した場合、携帯電話装置１０の動作は、ステップ２３の判定でＮｏのほうに進み、再度ステップ２２で、無音時間検出タイマ手段は、通話音声が無音であるか否かの判定を行う。
【００３９】
ステップ２３で、無音状態が２秒以上継続した場合は、無音時間検出タイマ手段は、会話が途切れたと判定して、携帯電話装置１０の動作は、ステップ２３の判定でＹｅｓのほうに進む。
【００４０】
ステップ２４で、無音時間検出タイマ手段は、選択信号１が発生する。この選択信号１に対応する音声データであって、音声バンク装置に保持される音声データの種類は、会話を促す音声データであり、例えば、「それで」という音声データである。この選択信号１により、会話を促す音声データが選択され、音声支援装置１９は、この会話を促す音声データを出力することになる。
【００４１】
即ち、第１の音声多重装置１５は、音声信号再生装置１４から入力した「会話を促す音声信号」と、通話装置１７から入力した「送話音声１７１（無音）」とを多重化して通話機器１０の通話機能装置に出力する。この時、通話機能装置は、多重された音声（会話を促す音声信号のみ）を、通話機器２０の通話機能装置に送信し、通話機器２０の通話機能装置は、受信した多重音声（会話を促す音声信号のみ）を、受話音声１８２として通話装置１８に出力する。
【００４２】
これにより、相手局側のユーザは、自局側のユーザとの会話が途切れた場合であっても、音声信号再生装置１４を経由して再生された音声信号（会話を促す音声信号）を聞くことが可能となる。
【００４３】
また、第２の音声多重装置１５’は、音声信号再生装置１４から入力した音声信号と、通話機器１０の通話機能装置から入力した送話音声１８１とを多重し、受話音声１７２として通話装置１７に出力する。
【００４４】
ステップ２４で、無音時間検出タイマ手段が、選択信号１を発生した後、携帯電話装置１０の動作は、ステップ２１に進み、無音時間検出タイマ手段と信号発生間隔タイマ手段との２つのタイマ手段が動作を開始する。
【００４５】
次にステップ２４で、通話音声が入った場合、電話装置１０の動作は、ステップ２２の判定でＮｏのほうに進む。まず、ステップ２５で、無音時間検出タイマ手段が動作を開始し、無音時間検出タイマ手段は、２秒間、検出した通話音声が無音状態であるか否かを判定して、再度、会話が途切れたか否かを判定する。
【００４６】
その後、ステップ２６で、信号発生間隔タイマ手段は、無音時間検出タイマ手段による前回の選択信号発生（ステップ２４）から４秒が経過しているか否かの判定を行う。未だ、４秒が経過していない場合、電話装置１０の動作は、ステップ２６の判定でＮｏのほうに進み、再度ステップ２２に進む。
【００４７】
一方、ステップ２６で、信号発生間隔タイマ手段が、無音時間検出タイマ手段による前回の選択信号発生（ステップ２４）から４秒が経過していると判定した場合、電話装置１０の動作は、ステップ２６の判定でＹｅｓのほうに進む。
【００４８】
次のステップ２７で、自動選択信号生成装置１６は、現在の通話音声の音量が所定の閾値を超えているか否かを判定する。現在の通話音声の音量が所定の閾値を超えていない場合、自動選択信号生成装置１６は、普通に通話が行われていると判定し、電話装置１０の動作は、ステップ２７の判定でＮｏに進む。ステップ２８で、自動選択信号生成装置１６は、選択信号２を発生する。この選択信号２に対応する音声データであって、音声バンク装置に保持される音声データの種類は、あいづちの音声データであり、例えば、「うん」という音声データである。この選択信号２により、あいづちの音声データが選択され、音声支援装置１９は、このあいづちの音声データを出力することになる。
【００４９】
一方、ステップ２７で、現在の通話音声の音量が所定の閾値を超えている場合場合、自動選択信号生成装置１６は、相手に訴えかける通話が行われていると判定し、電話装置１０の動作は、ステップ２７の判定でＹｅｓに進む。ステップ２９で、自動選択信号生成装置１６は、選択信号３を発生する。この選択信号３に対応する音声データであって、音声バンク装置に保持される音声データの種類は、驚きと関心のこもったあいづちの音声データであり、例えば、「へー」という音声データである。この選択信号３により、驚きと関心のこもったあいづちの音声データが選択され、音声支援装置１９は、この驚きと関心のこもったあいづちの音声データを出力することになる。
【００５０】
ステップ２８又はステップ２９で、自動選択信号生成装置１６が、選択信号２又は選択信号３を発生した後、携帯電話装置１０の動作は、ステップ２１に進み、無音時間検出タイマ手段と信号発生間隔タイマ手段との２つのタイマ手段が動作を開始する。
【００５１】
以上の説明から、自動選択信号生成装置１６が、通話音量を検出することにより、１）通話が途切れたと判定した場合、通話を促す「それで」に対応する選択信号１を自動的に生成し、２）普通に通話が行われている判定した場合、あいづちの「うん」に対応する選択信号２を自動的に生成し、３）相手に訴えかける通話が行われている（強い口調で会話が行われている）と判定した場合、相応のあいづち「へー」に対応するする選択信号２を自動的に生成することが理解できる。
【００５２】
なお、実際には通話していない状態の携帯電話装置１０であっても、本発明の音声支援装置１９を通話相手とする形で擬似的な通話を行うことができる。即ち、相手局側のユーザが発する音声に対応する送話音声１８１が入力されない場合、自動選択信号生成装置１６は、自局側のユーザの音声に対応する送話信号１７１のみの音量変化を検出し、検出結果に応じて、選択信号を自動的に生成する。また、第２の音声多重装置１５’は、音声信号再生装置１４から入力した音声信号を、受話音声１７２として通話装置１７に出力する。このように、上記同様の動作を行うことで、１）通話が途切れたときには通話を促す「それで」が、２）通常に話しているときにはあいづちの「うん」が、３）強い口調で話したときは、相応のあいづち「へー」が自動的に出力されるよう動作する。これにより、実際に相手局側のユーザがいなくても、携帯異電話１０自体が、自局側ユーザからの通話に対して適当なあいづちを打ちながら話を聞いてくれる相手となる。よって、自局側のユーザは、不満が鬱積して誰かに愚痴をこぼしたいという思った場合、手近に適当な相手がいなかった場合等、携帯異電話１０に対して思う存分言うことができる。即ち、相手局側のユーザは、人に対して話すと嫌がられたりするという事がなくなるという利点がある。
【００５３】
【発明の効果】
本発明は、音声バンク装置に保持される音声信号を通話機器で通話中の音声信号に多重し、この多重音声を双方の通話者に聞こえる様に出力することにより、会話を盛り上げることを可能とする。
【００５４】
また、本発明は、通話機器で実際には通話相手と接続されていない場合でも、音声バンク装置に保持される音声信号（音声多重装置の出力する音声信号）が、相手話者の代用となり、擬似的な通話を提供することを可能とする。
【００５５】
さらに、本発明は、通話音声が一定時間途絶えた事、あるいは、通話音声の音量や音量の変化を検出し、それに応じた異なる音声信号を自動的に出力する事を可能とする。
【００５６】
加えて、音声バンク装置に用意する音声信号を固定とせず、録音、保存できるように構成することにより、ユーザが録音した任意の音声信号を出力することを可能とする。
【００５７】
さらにまた、本発明は、複数の音声バンク装置を備えることにより、異なる応答パターン、あるいは異なる人物像の応答を切り換えて使用する事を可能とする。
【図面の簡単な説明】
【図１】本発明に係る通話機器１０の構成を示した概略図の一例である。
【図２】自動選択信号生成装置１６を備えた本発明に係る携帯電話装置１０の動作例を示したフローチャートである。
【符号の説明】
１０、２０　通話機器
１１　音声バンク装置
１２、１６　選択信号生成装置
１３　音声信号選択装置
１４　音声信号再生装置
１５、１５’　音声多重装置
１７、１８　通話装置
１９　音声支援装置
１７１、１８１　送話音声
１７２、１８２　受話音声
【図１】
2004064281.tif 000003
【図２】
2004064281.tif 000004